(57)【要約】【課題】複数のＤＶＤメニューを選択して作成記録を可能とした場合において、オートファイナライズが行われたときに、ユーザの意図に反して勝手にＤＶＤメニューが変更されて作成記録されることの不都合を解消する。【解決手段】ＤＶＤには、最後のファイナライズ時に作成／記録したＤＶＤメニューのタイプを示すＩＤを書き込んでおく。そして、ＤＶＤがマウントされてオートファイナライズが行われるまでに、ＤＶＤメニューのタイプの変更が行われなかった場合には、マウント時に読み込んだとされる上記ＩＤが示すタイプによりＤＶＤメニューの作成／記録を行う。【選択図】図９
2007073149.tif 000002
【特許請求の範囲】
【請求項１】
少なくとも選択操作に応じて、書き換え可能な所定の記録媒体に記録されているデータの内容を示す画像である記録内容提示画像の雛形を選択する選択手段と、
上記選択手段により選択された雛形に応じた素材データを利用して、上記記録内容提示画像として再生出力が行われるための記録内容提示画像用データを作成するデータ作成手段と、
上記データ作成手段により作成された上記記録内容提示画像用データを、上記記録媒体に記録する記録手段と、
上記記録媒体に記録される情報であり、最後にその記録媒体に記録された上記記録内容提示画像用データに応じた雛形を識別可能な雛形識別情報を読み出して取得する雛形識別情報取得手段と、
上記記録内容提示画像データを強制的に記録媒体に記録すべきとなった段階で、この記録媒体への記録が可能な状態となって以降において上記選択操作に応じた上記記録内容提示画像の雛形の選択が行われなかったのであれば、上記雛形識別情報取得手段により取得した雛形識別情報が示す雛形を上記選択手段が選択するように制御する制御手段と、
を備えることを特徴とする記録装置。
【請求項２】
上記記録媒体のファイナライズを実行するファイナライズ実行手段をさらに備え、
上記記録内容提示画像の表示用データを強制的に記録媒体に記録すべき場合とは、上記ファイナライズ実行手段が、所定の条件が発生したのに応じて、上記記録媒体のファイナライズを自動実行することとなった場合である、
ことを特徴とする請求項１に記載の記録装置。
【請求項３】
書き換え可能な所定の記録媒体に記録されているデータの内容を示す画像である記録内容提示画像についての複数の雛形のうちから、指定された雛形に応じた素材データを利用して、上記記録内容提示画像として再生出力が行われるための記録内容提示画像用データを作成するデータ作成手段と、
上記データ作成手段により作成された上記記録内容提示画像用データを、上記記録媒体に記録する第１のデータ記録手段と、
上記第１のデータ記録手段により上記記録媒体に記録した記録内容提示画像用データに応じた雛形を識別するための雛形識別情報を、上記記録媒体に記録する第２の記録手段と、
を備えることを特徴とする記録装置。
【請求項４】
少なくとも選択操作に応じて、書き換え可能な所定の記録媒体に記録されているデータの内容を示す画像である記録内容提示画像の雛形を選択する選択手順と、
上記選択手順により選択された雛形に応じた素材データを利用して、上記記録内容提示画像として再生出力が行われるための記録内容提示画像用データを作成するデータ作成手順と、
上記データ作成手順により作成された上記記録内容提示画像用データを、上記記録媒体に記録する記録手順と、
上記記録媒体に記録される情報であり、最後にその記録媒体に記録された上記記録内容提示画像用データに応じた雛形を識別可能な雛形識別情報を読み出して取得する雛形識別情報取得手順と、
上記記録内容提示画像データを強制的に記録媒体に記録すべきとなった段階で、この記録媒体への記録が可能な状態となって以降において上記選択操作に応じた上記記録内容提示画像の雛形の選択が行われなかったのであれば、上記雛形識別情報取得手順により取得した雛形識別情報が示す雛形を上記選択手順により選択させるように制御する制御手順と、
を実行することを特徴とする記録方法。
【請求項５】
書き換え可能な所定の記録媒体に記録されているデータの内容を示す画像である記録内容提示画像についての複数の雛形のうちから、指定された雛形に応じた素材データを利用して、上記記録内容提示画像として再生出力が行われるための記録内容提示画像用データを作成するデータ作成手順と、
上記データ作成手順により作成された上記記録内容提示画像用データを、上記記録媒体に記録する第１のデータ記録手順と、
上記第１のデータ記録手順により上記記録媒体に記録した記録内容提示画像用データに応じた雛形を識別するための雛形識別情報を、上記記録媒体に記録する第２の記録手順と、
を実行することを特徴とする記録方法。
【発明の詳細な説明】
【技術分野】
【０００１】
本発明は、例えばビデオデータ、オーディオデータなどとしてのデータと、このデータの記録内容を示す記録内容提示画像としての表示用データとを記録媒体に記録することのできる記録装置と、その方法に関するものである。
【背景技術】
【０００２】
近年においては、追記型、あるいは書き換え型のＤＶＤ(Digital Versatile Disc)に対応した記録再生機器が普及してきている状況にある。このような記録再生機器として、例えばテレビジョン放送番組などの画像音声データをタイトル単位で記録できるようにされたものが知られている。そして、このような記録再生機器では、ＤＶＤに記録されているタイトル内容をリスト表示により提示する画像を作成して、このような画像についてもＤＶＤに記録できるようにされている。このようにして、ＤＶＤに記録されているタイトル内容を表示する画像を、ここではＤＶＤメニューということにする。このＤＶＤメニューを再生出力すると、そのＤＶＤに記録されているタイトルの名称などがリスト形式により表示される。
また、このＤＶＤメニューは、タイトル選択のためのＧＵＩとしても機能するようにされており、例えばリスト表示されているタイトルのうちから任意のタイトルを選択して再生指示の操作を行うと、この選択されたタイトルがＤＶＤから再生される。
このようにして、ＤＶＤメニューによっては、そのＤＶＤに記録されているタイトル内容をユーザが簡単に把握でき、また、所望のタイトルへのアクセスも行えるなど、ＤＶＤ再生に関しての利便性が向上される。
【０００３】
【特許文献１】特開２００５−３２４３９号公報
【発明の開示】
【発明が解決しようとする課題】
【０００４】
しかしながら、例えば現状においては、ＤＶＤメニューとしての基本的な表示態様は、1種類のみとされて固定的なものとなっているので、面白み、娯楽性には欠けているといえる。また、例えばＤＶＤメニューに多様性を与えるなど、何らかの発展性を与えることとした場合に、これに伴って生じる不都合が回避され、ユーザが問題なくＤＶＤメニューの機能を利用できるように配慮することも必要となる。
【課題を解決するための手段】
【０００５】
そこで本発明は上記した課題を考慮して、記録装置として次のように構成する。
つまり、少なくとも選択操作に応じて、書き換え可能な所定の記録媒体に記録されているデータの内容を示す画像である記録内容提示画像の雛形を選択する選択手段と、この選択手段により選択された雛形に応じた素材データを利用して、記録内容提示画像として再生出力が行われるための記録内容提示画像用データを作成するデータ作成手段と、このデータ作成手段により作成された記録内容提示画像用データを、記録媒体に記録する記録手段と、記録媒体に記録される情報であり、最後にその記録媒体に記録された記録内容提示画像用データに応じた雛形を識別可能な雛形識別情報を読み出して取得する雛形識別情報取得手段と、記録内容提示画像データを強制的に記録媒体に記録すべきとなった段階で、この記録媒体への記録が可能な状態となって以降において選択操作に応じた記録内容提示画像の雛形の選択が行われなかったのであれば、雛形識別情報取得手段により取得した雛形識別情報が示す雛形を選択手段が選択するように制御する制御手段とを備えることとした。
【０００６】
また、記録装置として次のようにも構成することとした。
つまり、書き換え可能な所定の記録媒体に記録されているデータの内容を示す画像である記録内容提示画像についての複数の雛形のうちから、指定された雛形に応じた素材データを利用して、記録内容提示画像として再生出力が行われるための記録内容提示画像用データを作成するデータ作成手段と、このデータ作成手段により作成された上記記録内容提示画像用データを、記録媒体に記録する第１のデータ記録手段と、この第１のデータ記録手段により記録媒体に記録した記録内容提示画像用データに応じた雛形を識別するための雛形識別情報を、記録媒体に記録する第２の記録手段とを備えることとした。
【０００７】
上記各構成によれば、記録媒体に記録されたデータの内容を示す記録内容提示画像としては、複数の雛形のうちから、ユーザ操作に応じて任意の雛形を選択できるようにしている。記録媒体に記録する記録内容提示画像の表示用データは、上記雛形に応じた素材データを基として作成される。このようにして、本願発明では、記録内容提示画像について、例えば絵柄、デザイン的なバリエーションについての選択性が与えられる。
そのうえで、本願発明では、例えば雛形識別情報を取得しておき、それから記録内容提示画像の表示用データを強制的に記録媒体に記録すべき機会に至るまでの間に、上記記録内容提示画像の雛形を選択するユーザ操作が行われなかったのであれば、雛形識別情報が示す雛形を利用して、記録内容提示画像の表示用データを作成し、記録媒体に記録するようにされる。雛形識別情報は、最後に記録媒体に記録した記録内容提示画像の雛形を示すものとして、記録媒体に記録する情報である。これにより、前回の表示用データの強制記録と、今回の表示用データの強制記録とで、記録内容提示画像の雛形（基本的な表示態様）は同じとなるようにされる。
【発明の効果】
【０００８】
このようにして本発明は、記録内容提示画像について、ユーザ操作により複数の雛形の候補のうちから選択できるようにすることで、記録内容提示画像についての絵柄、デザイン的なバリエーションをユーザが任意に選択できるようにしている。これにより、ユーザにとっての娯楽性が高まることになる。
そのうえで、記録内容提示画像の雛形を変更する操作がおこなわれなかった場合、つまり、ユーザが意図的に記録内容提示画像の雛形を変更しなかった場合には、記録媒体に記録される記録内容提示画像は、前回記録した記録内容提示画像データと同じ雛形（基本的表示態様）が保たれる。このことは、例えば、ユーザが気付かないうちに、勝手に記録内容提示画像の雛形が変更されてしまうというような事態を回避できることにつながる。つまり、本願発明では、記録内容提示画像について選択性が与えられたことに起因して生じる問題を解消して、ユーザが快適に記録内容提示画像についての機能を使用できるようにしている。
【発明を実施するための最良の形態】
【０００９】
図１は、本発明の実施の形態としての記録装置である、放送受信録画装置１の構成例を示している。放送受信録画装置１は、以下に説明する構成を採ることで、所定キャリアのテレビジョン放送を受信して得たテレビジョン放送番組としての映像（ビデオ）／音声（オーディオ）データを、ＨＤＤ（ハードディスク）に記録（録画）し、また、録画した番組の映像／音声データを再生出力することができる。
また、放送受信録画装置１が受信対象とする放送は、ここでは、デジタル放送であることとする。なお、実際の仕様として放送受信録画装置１が受信対象とする放送は、アナログ放送とデジタル放送の何れとされてもよい、あるいは、アナログ放送とデジタル放送の両者とされてもよい。
【００１０】
先ず、放送受信録画装置１に対してはアンテナ１０が接続されている。アンテナ１０では、デジタル放送波を受信して所定の高周波信号に変換して、デジタル放送受信機１に対して供給する。
【００１１】
なお、現状において、デジタルテレビジョン放送は、通信衛星又は放送衛星から放送信号を送出する衛星放送と、地上のアンテナから送出する地上波とが知られているが、本実施の形態の放送受信録画装置１としては、両者のいずれに対応する構成が採られてもよい。アンテナ１０は、デジタルテレビジョン放送として、衛星放送に対応する場合には、受信対象となる衛星の放送方式等に適合したパラボラアンテナとなり、地上波放送に対応する場合には、例えばＵＨＦアンテナとなる。
【００１２】
放送受信録画装置１においては、上記のようにしてアンテナ２０にて受信され、所定の周波数に変換された受信信号を、チューナ１１により入力する。
チューナ１１では、ＣＰＵ１６からバス２２を介して入力された、伝送諸元等を設定した設定信号に基づいて、この設定信号により決定されるキャリア（受信周波数）を抽出し、復調器１２に出力する。復調器１２では、入力されたキャリアの信号について、例えばビタビ復調処理や誤り訂正処理等を施すことで、ＴＳ（Transport Stream）を得るようにされる。
【００１３】
この場合におけるＴＳとしては、例えばＭＰＥＧ２(Moving Picture Experts Group Layer2)方式によって、複数のプログラム（番組）、チャンネルのビデオ（映像）信号及びオーディオ（音声）信号を圧縮した圧縮データと、各種の付加情報が多重化されているものとなる。必要に応じて、データ放送サービスのためのデータ放送用データも多重化されている。
【００１４】
上記したビデオ信号及びオーディオ信号を圧縮した圧縮データ、また、データ放送用データは、ＥＳ（Elementary Stream)として多重化される。また、放送側が挿入する付加情報としては、ＰＡＴ(Program Association Table)、ＰＭＴ(Program Map Table)などのテーブルを格納するＰＳＩ(Program Specific Information：番組特定情報）や、ＳＩ(Service Information:番組配列情報)などが挙げられる。
そして、上記情報の多重化は、ＴＳを所定バイトサイズのトランスポートストリーム・パケット（ＴＳパケット）により形成するようにして、このＴＳパケットに対して、上記したＥＳ及び各種付加情報を格納することにより行われる。
【００１５】
また、復調器１２では、ＴＳからＰＳＩ(Program Specific Information:番組特定情報)のパケットを取得し、その選局情報を更新すると共に、ＴＳにおける各チャンネルのコンポーネントＰＩＤ(Program ID)を得て、例えばＣＰＵ１６に対してバス２２を経由して伝送する。ＣＰＵ１６では、取得したＰＩＤを受信信号処理に利用することになる。
【００１６】
また、本実施の形態の構成においては、ＴＳとして取得されたデータについてスクランブル（暗号）がかけられているときには、このスクランブルを解くためのスクランブル処理についても、復調器１２にて実行可能なようにされているものとする。
【００１７】
デマルチプレクサ１３は、ＣＰＵ１６により設定されたフィルタ条件に従って、復調器１２から供給されたＴＳから必要なＴＳパケットを分離する。これにより、例えばデマルチプレクサ１６においては、目的とする１つのプログラムについてのＴＳパケットとして、所定の符号化方式（例えばＭＰＥＧ２方式）により圧縮されたビデオデータのＴＳパケットと、圧縮されたオーディオデータのＴＳパケットを得ることになる。そして、このようにして得られた圧縮ビデオデータと圧縮オーディオデータを、それぞれ、ビデオデコーダ１４、オーディオデコーダ１５に対して出力する。
【００１８】
なお、デマルチプレクサ１３により分離された圧縮ビデオ／オーディオデータの個別パケットは、ＰＥＳ(Packetized Elementary Stream)と呼ばれる形式でそれぞれ、ビデオデコーダ１４とオーディオデコーダ１５とに入力されるようになっている。
また、上記したフィルタ条件の設定は、例えばデマルチプレクサ１３において、ＴＳに含まれるＰＡＴ、ＰＭＴなどを抽出して、ＣＰＵ１６にバス２２を介して転送するようにされる。そして、ＣＰＵ１６が、転送されてきたＰＡＴ、ＰＭＴなどに記述されている情報内容に基づいて、ＣＰＵ１６に対してフィルタ条件を設定するようにされる。
【００１９】
ビデオデコーダ１４においては、先ず、入力された圧縮ビデオデータについて、その圧縮符号化形式に応じたデコード（伸長）処理を実行する。そして、この伸長処理により得られたビデオデータについて、画質調整などをはじめとした所要の信号処理を実行する。
ビデオ信号処理部１７の出力であるビデオ信号は、この場合には、放送受信録画装置１と接続されるディスプレイ２６に入力される。
【００２０】
オーディオデコーダ１５では、入力された圧縮オーディオデータについて、その圧縮符号化形式に応じたデコード（伸長）処理を実行する。なお、この伸長処理は、ビデオデコーダ１４にて伸長処理が施されて出力されるビデオ信号の再生出力タイミングに同期するように、つまり、いわゆるリップシンクが保たれるようにして実行される。また、オーディオデコーダ１５は、上記伸長処理によって得られたオーディオ信号について、ゲイン調整、音質調整、音量調整、音響効果の付加などの所要の信号処理を必要に応じて実行する。この場合にオーディオデコーダ１５から出力されるオーディオ信号は、放送受信録画装置１と接続されるスピーカ２７に入力される。
なお、この図では、説明を簡単にするために、オーディオデコーダ１５以降のオーディオ信号の系を１系統により示しているが、実際には、Ｌ（左），Ｒ（右）ステレオに対応する２チャンネルのオーディオ信号の系とされてもよい。また、5.1chサラウンドなどの、所定のチャンネル構造による３チャンネル以上のマルチチャンネルに対応するオーディオ信号の系とされてもよい。
【００２１】
ディスプレイ２６は、所定のディスプレイデバイスを備えて成り、ビデオデコーダ１４から入力されるビデオ信号に基づいて表示駆動を実行することで、ビデオ信号の画像を表示出力する。
スピーカ２７は、オーディオデコーダ１５から入力されたオーディオ信号を増幅して音声として出力する。これにより、スピーカ２２からは、例えば、ディスプレイ２６にて表示される画像と同期した音声が出力される。
【００２２】
ＣＰＵ１６は、プログラムを実行することで、放送受信録画装置１の動作制御を実現するもので、他のハードウェアデバイスとバス２２を介して通信可能に接続されている。本実施の形態において、ＣＰＵ１６が実行するプログラムは、少なくとも、フラッシュメモリ１９、ＨＤＤ（ハードディスク）２１にて記憶保持されている。
【００２３】
ＲＡＭ１７は、揮発性のメモリ素子から成り、ＣＰＵ１６が処理を実行するための作業領域として利用され、例えばＣＰＵ１６の演算処理結果などが保持される。また、ＣＰＵ１６が実行すべきプログラムは、このＲＡＭ１７に展開される形式で保持されることで、実際のＣＰＵ１６によるプログラムの実行が可能となる。
【００２４】
この場合のＲＯＭ１８は、書き換えが不可のメモリ素子からなり、例えば、書き換えが不要のプログラム、各種の設定データなどが記憶される。
【００２５】
本実施の形態の放送受信録画装置１は、上記ＲＡＭ１７及びＲＯＭ１８の他に、不揮発性メモリを備えるものとする。不揮発性メモリとしては、いくつかの種類があり、何れを採用するのかについては特に限定されるべきではないが、ここではフラッシュメモリ１９を備えることとしている。
本実施の形態において、このフラッシュメモリ１９には、少なくとも、ＣＰＵ１６に実行させるべきプログラムや、書き換えが前提の各種設定情報などが記憶される。なお、フラッシュメモリ１９に対して、上記プログラムや設定情報以外の種類のデータを記憶させることについては特に制限はない。
【００２６】
この場合の操作部２３は、放送受信録画装置１に対応して設けられる各種操作子と、これらの操作子に対して行われた操作に応じて操作情報信号を生成してＣＰＵ１６に出力する操作情報信号出力部とを一括して示している。また、リモートコントローラと、このリモートコントローラに対して行われた操作に応じて送信されてくるコマンド信号を受信復調して、操作情報信号として出力する受信部なども、この操作部２３に含まれる。
【００２７】
また、本実施の形態の放送受信録画装置１は、少なくともユーザデータを記録再生可能な記憶デバイスとして、ＤＶＤドライブ２０、及びＨＤＤ２１を備える。
ＤＶＤドライブ２０は、リムーバブルの光学ディスク状記録媒体であるＤＶＤ(Digital Versatile Disc)２５を装填することができ、装填されたＤＶＤ２５に対してデータの記録再生を行うことが可能とされる。例えば本実施の形態の放送受信録画装置１では、テレビジョン放送を受信して取得した放送番組のビデオ／オーディオデータを、所定のデータ形式により記録することができる。
なお、ＤＶＤドライブ２１に代えて、例えばBlu-ray Disc(商標)などをはじめとするＤＶＤ以外の光学ディスク状記録媒体に対応するドライブを備えることとしてもよい。また、半導体メモリ素子を備えるリムーバブルの記憶媒体に対応したドライブを備えることも考えられる。
【００２８】
ＨＤＤ２１は、周知のようにして、記録媒体として磁気ハードディスクを備えて構成され、現状では大容量を容易に確保できる記憶デバイスとして広く普及している。本実施の形態の放送受信録画装置１において、ＨＤＤ２１には、ＣＰＵ１６の制御に従って、テレビジョン放送から受信取得した放送番組のビデオ／オーディオデータを所定のデータ形式により記録することができる。つまり、番組録画の機能を有する。さらに、ＣＰＵ１６に実行させるべきプログラムを記憶させることもできる。
【００２９】
例えば、ＨＤＤ２１に記録されている放送番組などのビデオ／オーディオデータを再生するときには、再生すべきビデオ／オーディオデータのファイルをＨＤＤ２１から読み出す。この場合のＨＤＤ２１に記録されているビデオ／オーディオデータは、圧縮符号化処理が施された形式であることとする。そこで、ＨＤＤ２１から読み出したビデオ／オーディオデータは、ＣＰＵ１６の制御により、バス２２を介して、それぞれビデオデコーダ１４、オーディオデコーダ１５に転送するようにされる。ビデオデコーダ１４、オーディオデコーダ１５では、先の説明のようにして、デコード（伸長）処理等を施して、リップシンクを保つようにしてビデオ信号、オーディオ信号を出力する。
なお、ＤＶＤ２５に記録されているビデオ／オーディオデータを再生する場合にも、ＤＶＤドライブ２０にてＤＶＤから読み出した圧縮符号化形式のビデオ／オーディオデータを、ビデオデコーダ１４、オーディオデコーダ１５によりデコードして、ビデオ信号、オーディオ信号として出力するようにされる。
【００３０】
また、このようにしてＨＤＤ２１とＤＶＤドライブ２０との２つの記憶装置（ドライブ）を備える構成では、例えばＨＤＤ２１に記憶されているビデオ／オーディオデータを、ＤＶＤドライブ２０に転送してＤＶＤ２５にコピー、あるいは移動させるようにして記憶させる、いわゆるダビング、若しくはムーブといわれる動作も可能とされている。このためには、例えばＣＰＵ１６の制御に応じて、ＨＤＤ２１から読み出させた所要のビデオ／オーディオデータを、バス２２を経由させてＤＶＤドライブ２０に転送する。ＤＶＤドライブ２０では、転送されてきたビデオ／オーディオデータを、装填されているＤＶＤ２５に書き込んでいくようにされる。このときに、ＤＶＤ２５に書き込んだ内容のビデオ／オーディオデータをＨＤＤ２１から消去せずに残しておけば、ダビング（コピー）の動作となり、消去させることとすれば、ムーブの動作となる。
【００３１】
上記のようにして、本実施の形態の放送受信録画装置１は、ＤＶＤドライブ２０を備えることで、ＤＶＤ２５に対してビデオ／オーディオデータを記録することができる。周知のようにして、記録可能なＤＶＤのフォーマットは、ＤＶＤ−Ｖｉｄｅｏ、ＤＶＤ−ＶＲ(Video Recording)などが一般的であり、本実施の形態としても、これらの記録フォーマットに従ってＤＶＤへのデータ記録を行うようにされる。また、本実施の形態の放送受信録画装置１がＤＶＤドライブ２０により記録再生可能な、記録可能なＤＶＤの種類は、ＤＶＤ−Ｒ（追記型）、ＤＶＤ−ＲＷ（書換型）、ＤＶＤ＋Ｒ（追記型）、ＤＶＤ＋ＲＷ（書換型）であることとする。
【００３２】
上記したＤＶＤフォーマットでは、ビデオ／オーディオデータは、タイトルといわれる単位で記録管理されるようになっている。本実施の形態の放送受信録画装置１により、録画番組としてのビデオ／オーディオデータをＤＶＤ２５に記録していったとするのであれば、この録画番組単位のビデオ／オーディオデータが、1タイトル分のビデオ／オーディオデータとなる。
そして、上記ＤＶＤフォーマットにあっては、ＤＶＤメニューが規定されている。ＤＶＤメニューそのものは、ＤＶＤの記録内容について、例えばタイトルの記録内容をリスト化した表示態様により提示するものであり、画像出力によるユーザインターフェイスとなる。また、このＤＶＤメニューの画像は、ユーザがタイトルを選択して再生するなどの操作のためのＧＵＩ(Graphical User Interface)としても機能するようになっている。このＤＶＤメニューは後述するようにしてＤＶＤに対して記録され、ＤＶＤ再生機能によって、そのＤＶＤから読み出されてＧＵＩ画像として再生出力されるものである。
【００３３】
上記ＤＶＤメニューの画像の表示態様例を図２に示す。
この図に示すＤＶＤメニュー画像においては、例えば、左上側において「TITLE LIST」の文字を表示することで、タイトルをリスト化して提示していることを示すようにされている。また、その右側には、ディスク名を表示する領域が設けられる。この場合のディスク名としては、「My Favorite Movies」となっている。このディスク名は、例えばユーザがＤＶＤ作成にあたって入力操作を行うことで設定される。
上記「TITLE LIST」とディスク名の表示領域の下には、ＤＶＤに記録されているタイトルがリスト形式により提示される、タイトルリストが表示される。この場合には、タイトルごとにタイトル番号が連番で付され、タイトル番号ごとに対応させて、タイトル名、録画日が示されている。
また、タイトルリストの領域の右側の上方には、ページ送りボタンＢＴ1、ページ戻しボタンＢＴ２が表示されている。ＤＶＤメニュー画像におけるタイトルリストの領域は、ページ構造となっている。例えば図２の例では、タイトルリストには、1ページ目として、タイトル番号０１〜０８までの８つのタイトルのリストが表示されている。ここで、さらにタイトル番号０９以降のタイトルがある場合には、これらのタイトルは次の2ページ目以降によって示されるようになっている。ページ送りボタンＢＴ1、ページ戻しボタンＢＴ２に対する操作を行うことで、ＤＶＤメニュー画像におけるタイトルリストのページを送る、あるいは戻すようにして切り換えて表示させることができる。
ユーザは、このＤＶＤメニュー画像に対する操作を行うことで、タイトルリストに示されるタイトルのうちから、所望のタイトルの再生を開始させることができる。ここでは図示していないが、タイトルリスト上においては、タイトル間でカーソルを移動させるための操作が行えるようになっている。つまり、カーソル移動によるタイトル選択を行えるようになっている。また、カーソルの表示は、カーソルが位置しているとされるタイトルの行を、他のタイトルの行とは異なる所定色に変化させることで行うようにされる。また、表示されているタイトルリストのページに再生させたいタイトルが無い場合には、上記ページ送りボタンＢＴ1、ページ戻しボタンＢＴ２によるページ切り換えの操作を行って、別のタイトルリストのページから所望のタイトルを探すことができる。
そして、所望のタイトルを見つけて、そのタイトルにカーソルを配置させた状態で選択決定のための所定操作を行うと、例えばＤＶＤメニューの表示出力が終了し、これに代わって、上記選択決定されたタイトルのビデオ／オーディオデータがＤＶＤから読み出され再生出力されることになる。
【００３４】
本実施の形態では、上記したＤＶＤメニュー画像は、雛形としてのデータを基とし、これに、ＤＶＤに記録されるタイトルに関連する付随情報などを利用して、タイトルリストの表示領域部分を変更するなどして作成するようにされる。そして、ＤＶＤメニュー画像についての１つの雛形としてのデータは、図３に示すようにして、壁紙データ１００を基礎として、これに、レイアウトデータ１０１、色指定データ１０２、サブピクチャデータ１０３などを対応付けるようにして組み合わせた構造として構成される。
壁紙データ１００は、ＤＶＤメニュー画像としての基本的な背景画像を表示するための画像データとなる。なお、本実施の形態では、この壁紙データ１００としての実際は、例えばＭＰＥＧ方式により圧縮符号化された画像データの形式をとる。
レイアウトデータ１０１は、壁紙データ１００としての画像領域上に対して、例えば図2に示したようなディスク名、タイトルリスト、各種ボタン、また、その他において表示される画像、文字などのパーツ部分を、どの位置に配置すべきかを指定する、所定構造の制御情報とされる。
色指定データ１０２は、例えば上記レイアウトデータ１０１により配置位置が指定される画像部分、文字部分の色を指定する制御情報とされる。例えば、壁紙データの画像が全体的に赤色を帯びたようなデザインであるとして、このときに、壁紙の画像上にレイアウトされる画像が、赤色若しくはこれに近いような色であったりすると、これらのレイアウトとされる画像は、壁紙と同化して見えにくくなってしまう。このために、レイアウトされる画像の色としては、壁紙の色に対して見やすい色とすることが最低限必要になる。色指定データ１０２によっては、このようなことを考慮して、レイアウトされる画像のパーツごとに所定の色を指定するようにされる。また、そのうえで、壁紙背景とパーツ画像の色の組み合わせパターンなどによる美観など考慮して色指定を行うようにしてもよい。
サブピクチャデータ１０３は、壁紙データ１００上にレイアウトされる画像、文字などとして表示されるべき画像パーツの集合から成るデータである。これらの画像、文字としての画像パーツのデータは、本実施の形態では、例えばビットマップデータの形式をとるものとされる。サブピクチャデータ１０３を成すとされるこれらの画像パーツのデータについて、上記レイアウトデータ１０１により配置位置が設定され、色指定データ１０２により色の決定が行われる。なお、例えばタイトルリストにおいて示されるタイトル名などは、ＤＶＤメニューのデータ作成時において生成されて、このピクチャデータ１０３の画像パーツとして扱われるものとする。
このようにして、本実施の形態のＤＶＤメニュー画像は、壁紙データ１００、レイアウトデータ１０１、色指定データ１０２、サブピクチャデータ１０３などの、素材としてのデータを利用して作成されるものとなる。また、実際においては、これらの素材データのほかに、ＤＶＤメニュー画像をＧＵＩとして機能させるためのナビゲータといわれる制御情報も含まれる。
【００３５】
そして、本実施の形態の放送受信録画装置１としては、ＤＶＤメニュー画像の雛形（タイプ）について複数パターン（種類）を用意するようにされる。ＤＶＤメニューを作成してＤＶＤに記録するときには、これらの用意された雛形のうちからユーザ操作に応じて任意の雛形を選択することができる。選択された雛形に対応する素材データを基としてＤＶＤメニューのデータを作成し、これをＤＶＤに記録するようにされる。
【００３６】
ここで図４に、本実施の形態の放送受信録画装置１が、４パターンのＤＶＤメニュー画像の雛形（雛形）を用意することとした場合の、各雛形についての構造の一具体例を示す。ここで、４パターンの雛形の各々については、ＤＶＤメニュー雛形１，２，３，４ということにする。
本実施の形態にあって、ＤＶＤメニュー画像の雛形のパターン間での最も基本的な相違部分としては、壁紙のデザインであることとしている。このために、壁紙データ１００としては、雛形のパターンが４つであることに対応して、図示するようにして、壁紙データ１００Ａ、壁紙データ１００Ｂ、壁紙データ１００Ｃ、壁紙データ１００Ｄの４つが用意される。これら４つの壁紙データを基として、ＤＶＤメニュー雛形１，２，３，４がどのようにして構成されるのかを見ていくと次のようになる。
【００３７】
先ず、ＤＶＤメニュー雛形１には、壁紙データ１００Ａが対応する。この壁紙データ１００Ａに対しては、実線の矢印によるつながりとして示されるように、レイアウトデータ１０１Ａ、色指定データ１０２Ａ、サブピクチャデータ１０３Ａが組み合わされる。つまり、ＤＶＤメニュー雛形１は、壁紙データ１００Ａ、レイアウトデータ１０１Ａ、色指定データ１０２Ａ、サブピクチャデータ１０３Ａから成る素材データの組み合わせにより形成される。
【００３８】
ＤＶＤメニュー雛形２には壁紙データ１００Ｂが対応し、この壁紙データ１００Ｂに対しては、破線の矢印によるつながりとして示されるように、レイアウトデータ１０１Ｂ、色指定データ１０２Ｃ、サブピクチャデータ１０３Ｂが組み合わされる。つまり、ＤＶＤメニュー雛形２は、壁紙データ１００Ｂ、レイアウトデータ１０１Ｂ、色指定データ１０２Ｃ、サブピクチャデータ１０３Ｂから成る素材データの組み合わせにより形成される。
また、ＤＶＤメニュー雛形３は、壁紙データ１００Ｃを基点として一点鎖線をたどっていくことで分かるように、上記基点となる壁紙データ１００Ｃと、これにつながるレイアウトデータ１０１Ａ、色指定データ１０２Ｄ、及びサブピクチャデータ１０３Ｂから成る素材データの組み合わせにより形成される。
また、ＤＶＤメニュー雛形４は、壁紙データ１００Ｄを基点として一点鎖線を辿っていくことで分かるように、上記基点となる壁紙データ１００Ｄと、これにつながるレイアウトデータ１０１Ｃ、色指定データ１０２Ｂ、及びサブピクチャデータ１０３Ａから成る素材データの組み合わせにより形成される。
【００３９】
このようにしてＤＶＤメニュー雛形１，２，３，４を形成していることから分かるように、レイアウトデータについては、レイアウトデータ１０１Ａを、ＤＶＤメニュー雛形１、３で共有しており、これにより、レイアウトデータは、４より1つ少ない３つのみが用意されている。また、サブピクチャデータについては、サブピクチャデータ１０３ＡをＤＶＤメニュー雛形１，４で共有し、サブピクチャデータ１０３ＢをＤＶＤメニュー雛形２，３で共有しており、これにより、レイアウトデータは、４より２つ少ない２つを用意している。
このことは、本実施の形態においてＤＶＤメニュー画像の雛形を複数パターン用意するのにあたっては、壁紙データ１００以外の、３つの素材データであるレイアウトデータ１０１、色指定データ１０２、及びサブピクチャデータ１０３については、ＤＶＤメニュー画像の雛形のパターン間での共有を行ってもよいことを意味している。つまり、デザインなどの都合で、複数の異なる壁紙データに対して、同じレイアウト、同じ画像パーツの色、画像パーツを対応させることができる。なお、図４の例では、色指定データ１０２については、4パターンが用意されて、各パターンがＤＶＤメニュー雛形１，２，３，４ごとに対応付けられてはいるが、実際において、4パターンより少ない色指定データ１０２を用意し、或るＤＶＤメニュー雛形の間で、特定の色指定データを共有するようにしてもよいものである。
【００４０】
また、上記図４のようにして、素材データのパターンの組み合わせＤＶＤメニューの雛形のパターンが形成されるということは、ＤＶＤメニューの雛形のパターンごとに対して、壁紙データ１００は一義的に決まるが、他のレイアウトデータ１０１、色指定データ１０２、及びサブピクチャデータ１０３については一義的には決まらない、ということになる。
【００４１】
そこで、本実施の形態では、ＤＶＤメニュー雛形１，２，３，４について、次のようにして管理するようにされる。
本実施の形態において、図４により説明したようにしてＤＶＤメニュー雛形１，２，３，４を用意するということは、図４に示される壁紙データ１００Ａ、１００Ｂ、１００Ｃ、１００Ｄ、レイアウトデータ１０１Ａ，１０１Ｂ，１０１Ｃ、色指定データ１０２Ａ，１０２Ｂ，１０２Ｃ，１０２Ｄ、サブピクチャデータ１０３Ａ，１０３Ｂとしてのデータを、ＤＶＤメニュー作成のために、放送受信録画装置１が実際に記憶保持するということを意味する。そこで、本実施の形態としては、これらのデータについて、素材データとしての識別情報であるＩＤを付すようにされる。図４では、下記の［  ］内のようにして、素材データの各々にＩＤを割り当てている。
壁紙データ１００Ａ［ＩＤ＝Ａ１］
壁紙データ１００Ｂ［ＩＤ＝Ａ２］
壁紙データ１００Ｃ［ＩＤ＝Ａ３］
壁紙データ１００Ｄ［ＩＤ＝Ａ４］
レイアウトデータ１０１Ａ［ＩＤ＝Ｂ１］
レイアウトデータ１０１Ａ［ＩＤ＝Ｂ２］
レイアウトデータ１０１Ａ［ＩＤ＝Ｂ３］
色指定データ１０２Ａ［ＩＤ＝Ｃ１］
色指定データ１０２Ｂ［ＩＤ＝Ｃ２］
色指定データ１０２Ｃ［ＩＤ＝Ｃ３］
色指定データ１０２Ｄ［ＩＤ＝Ｃ４］
サブピクチャデータ１０３Ａ［ＩＤ＝Ｄ１］
サブピクチャデータ１０３Ａ［ＩＤ＝Ｄ２］
【００４２】
そのうえで、放送受信録画装置１においては、ＤＶＤメニュー雛形１，２，３，４と、これらを成すとされる素材データの組み合わせを、図５に示すＤＶＤメニュー雛形管理テーブルとして管理するようにされる。
この図に示すようにして、先ず、ＤＶＤメニュー雛形１については、
壁紙データ［ＩＤ＝Ａ１］
レイアウトデータ［ＩＤ＝Ｂ１］
色指定データ１０２［ＩＤ＝Ｃ１］
サブピクチャデータ１０３［ＩＤ＝Ｄ１］
が対応付けられるようにして管理される。
ＤＶＤメニュー雛形２については、
壁紙データ［ＩＤ＝Ａ２］
レイアウトデータ［ＩＤ＝Ｂ２］
色指定データ１０２［ＩＤ＝Ｃ３］
サブピクチャデータ１０３［ＩＤ＝Ｄ２］
が対応付けられる。
ＤＶＤメニュー雛形３については、
壁紙データ［ＩＤ＝Ａ３］
レイアウトデータ［ＩＤ＝Ｂ１］
色指定データ１０２［ＩＤ＝Ｃ４］
サブピクチャデータ１０３［ＩＤ＝Ｄ２］
が対応付けられる。
ＤＶＤメニュー雛形４については、
壁紙データ［ＩＤ＝Ａ４］
レイアウトデータ［ＩＤ＝Ｂ３］
色指定データ１０２［ＩＤ＝Ｃ２］
サブピクチャデータ１０３［ＩＤ＝Ｄ１］
が対応付けられる。
この図５に示されるＤＶＤメニュー雛形１，２，３，４ごとの壁紙データ、レイアウトデータ、色指定データ、及びサブピクチャデータのＩＤの関係は、図４において模式的に示したＤＶＤメニュー雛形１，２，３，４ごとの壁紙データ、レイアウトデータ、色指定データ、及びサブピクチャデータの対応関係と一致する。
【００４３】
上記のようにしてＤＶＤメニュー雛形について管理を行うことで、同じ素材データが、複数のＤＶＤメニュー雛形で共有されるような場合にあっても、ＤＶＤメニュー雛形ごとの形成要素となる素材データの関係を、常に適正に管理することが可能になる。
また、上記のようにしてＤＶＤメニュー雛形について管理を行うことで、同じ素材データが、複数のＤＶＤメニュー雛形で共有されるような場合にあっても、ＤＶＤメニュー雛形ごとの形成要素となる素材データの関係を、常に適正に管理することが可能になる。
また、このようにしてＤＶＤメニュー雛形の素材データを管理することによっては、素材データとして必要なデータサイズを削減できる。例えば、複数のＤＶＤメニュー雛形を用意する方法としては、素材データの組み合わせとして管理せずに、はじめから素材データを組み合わせて形成した１つのデータの総合を、１つのＤＶＤメニュー雛形として、これらを複数用意するようにすることが考えられる。しかしながら、この場合には、例えば複数のＤＶＤメニュー雛形が同じレイアウトデータを使用するとしても、これら複数のＤＶＤメニュー雛形ごとに同じレイアウトデータの実体を用意する必要があり、その分、データサイズが大きくなる。これに対して、本実施の形態のような管理の仕方であれば、複数のＤＶＤメニュー雛形が同じ素材データを使用する場合には共有するので、素材データは１つでよいことになり、データサイズはその分小さくできる。
【００４４】
ここで、本実施の形態の放送受信録画装置１において行われる、ＤＶＤメニューの作成と、作成したＤＶＤメニューをＤＶＤに記録する動作例について、簡単に説明しておく。
先ず、本実施の形態では、複数のＤＶＤメニューの雛形パターンを用意することとしているので、これに対応してＤＶＤメニュー雛形を選択するための操作が可能なようにされている。例えばメニュー画面などからＤＶＤメニュー雛形を選択するための操作画面を呼び出すことができるようになっており、ＤＶＤメニュー雛形選択メニューにおいて、所定操作を行うことで、複数のＤＶＤメニュー雛形のうちから１つのＤＶＤメニュー雛形を選択決定するようにされる。
【００４５】
そして、本実施の形態の放送受信録画装置１におけるＤＶＤドライブ２０が対応する記録可能なＤＶＤの規格は、ＤＶＤ−Ｒ、ＤＶＤ−ＷＲ、ＤＶＤ＋Ｒ、ＤＶＤ＋ＷＲとされている。周知のようにして、これらのＤＶＤを、例えば汎用的に他のＤＶＤ再生機により再生できるようにするには、最終的にファイナライズといわれる処理を行う必要がある。
本実施の形態の放送受信録画装置１における実際のＤＶＤメニューの作成／記録は、このファイナライズを実行するときに行うものとされている。
【００４６】
ここでは、ユーザ操作に応じた手動によるファイナライズの指示が行われたとする。すると、例えば、実施の形態の放送受信録画装置１では、ＧＵＩ画面として、先ず、ＤＶＤメニュー雛形の選択操作を促す画面を出力する。上記したように、ＤＶＤメニュー雛形の選択操作は、通常にメニュー画面などからたどって操作画面にいくことで可能であるが、本実施の形態としては、最終確認の意味で、手動のファイナライズのときには、上記のようにして、ＤＶＤメニュー雛形の選択操作を促す画面を出力するようにしている。ユーザは、ここで改めて、ＤＶＤメニュー雛形を選択し直すことができる。もし、以前に設定した（あるいは初期設定として選択された）ＤＶＤメニュー雛形のままでよいのであれば、特に選択をし直す必要はない。そして、決定操作を行うようにされる。この決定操作に応じて、選択されたＤＶＤメニュー雛形の素材データを基としたＤＶＤメニューデータの作成と記録が行われ、さらにファイナライズが実行される。
また、本実施の形態では、ＨＤＤ２１からＤＶＤ２５へのダビングを行わせる場合において、ダビング後にファイナライズも実行させるものとして指定した場合には、ダビング開始前の段階で、ＤＶＤメニュー雛形の選択操作を促す画面を出力させるようにして、ＤＶＤメニュー雛形の選択が行えるようにしている。そして、ダビングが終了したのに応じて、上記と同様にして、選択されたＤＶＤメニュー雛形の素材データを基としたＤＶＤメニューデータの作成と記録が行われ、さらにファイナライズが実行される。
【００４７】
ところで、本実施の形態の放送受信録画装置１では、ＤＶＤドライブ２０が対応する記録可能なＤＶＤ（ＤＶＤ−Ｒ、ＤＶＤ−ＷＲ、ＤＶＤ＋Ｒ、ＤＶＤ＋ＷＲ）のうちで、ＤＶＤ＋ＲＷのみについては、その仕様規格などにより、ファイナライズの処理が短時間で済むことなどを前提に、自動ファイナライズが行えるようにしている。ここでの自動ファイナライズとは、ＤＶＤ＋ＲＷをＤＶＤドライブ２０からイジェクト（排出）させるべきとき、また、放送受信録画装置１のメイン電源をオフとすべきときに応じて、特にユーザにファイナライズの確認をとることはせずに、ファイナライズを実行することをいう。そして、ファイナライズを実行させた後に、ＤＶＤ＋ＲＷをイジェクトさせる。あるいは、メイン電源をオフにするようにされる。このようにして自動的にファイナライズを実行させることとすれば、例えばユーザが逐一ファイナライズを実行させるための操作を行う必要はないために、利便性が高まる。
【００４８】
しかしながら、本実施の形態のようにして、ＤＶＤメニュー雛形について複数が用意されるようにしたことと、この自動ファイナライズの機能とが併存することによっては、次のような不都合を生じることがある。
具体例として、本実施の形態の放送受信録画装置１をユーザＡ，Ｂで共用しているとして、先ず、ユーザＡが、或る1枚のＤＶＤ＋ＲＷに対して適当にいくつかのタイトルを記録させ、自分の好み、意図などに応じてＤＶＤメニュー雛形を選択したうえで、ＤＶＤメニューの作成／記録とファイナライズを行っておいたとする。
そして、この後において、上記のようにして、ユーザＡがタイトルを記録してファイナライズさせたＤＶＤ＋ＲＷについて、後からユーザＢが、別のタイトルを追加記録させたとする。なお、ＤＶＤ＋ＲＷは、書き換え可能であり、これに対応して本実施の形態の放送受信録画装置１（ＤＶＤドライブ２０）は、少なくともＤＶＤ＋ＲＷに対応しては、ファイナライズを解除して追加記録などをすることが可能とされている。
そして、ユーザＢは、上記のようにして、ＤＶＤ＋ＲＷに追加記録をした後において、このＤＶＤ＋ＲＷを入れたまま、放送受信録画装置１のメイン電源をオフにする操作、あるいは、ＤＶＤドライブ２０から、このＤＶＤ＋ＲＷをイジェクトさせる操作を行ったとする。ここで、ユーザＢは、先にユーザＡが作成して記録させたＤＶＤメニューでよいと思っていた、あるいは、ＤＶＤメニューについては何でもよいと思っていたので、このＤＶＤ＋ＲＷをＤＶＤドライブ２０に装填して、上記したメイン電源オフ、又はイジェクトの操作を行うまでの間、ＤＶＤメニュー雛形を選択決定する操作を行ってはいないものとする。
【００４９】
上記したメイン電源のオフ、又はＤＶＤ＋ＲＷをイジェクトさせる操作に応じては、前述のようにしてＤＶＤ＋ＲＷに対するファイナライズが行われる。また、本実施の形態では、ファイナライズに際して、これまでのタイトルの記録内容が反映されるようにして、ＤＶＤメニューデータを作成して、ＤＶＤに記録するようにされる。従って、メイン電源のオフ、又はＤＶＤ＋ＲＷをイジェクトさせる操作に応じては、ＤＶＤメニューの作成／記録を行ってファイナライズを実行することになる。
ここで、本実施の形態の放送受信録画装置１は、ＤＶＤドライブ２０にＤＶＤが装填されたときには、初期値としての設定に応じた所定のＤＶＤメニュー雛形を選択している状態になるものとする。これは、例えば前述した手動のファイナライズの場合のようにして、ＤＶＤメニュー雛形の選択確認画面が表示される場合には特に問題にはならない。しかしながら、オートファイナライズの場合には、ユーザにより意図的にＤＶＤメニュー雛形の選択が行われていなければ、特に確認が行われることなく、この初期的に選択されたＤＶＤメニュー雛形を基としてＤＶＤメニューデータの作成／記録が行われてしまうことになる。
すると、上記した例では、ユーザＢがＤＶＤ＋ＲＷに対してオートファイナライズを実行させたときには、ユーザＡが選択したＤＶＤメニュー雛形が初期設定時と同じものでない限り、違うＤＶＤメニュー雛形に基づいて作成／記録されたものに置き換わってしまうことになる。つまり、オートファイナライズが実行されるたびに、ユーザの意図に反してＤＶＤメニューの絵柄など（つまり雛形のデザイン）が変更されてしまうことになる。
【００５０】
そこで、本実施の形態の放送受信録画装置１としては、このような不都合が回避されるようにすることを目的として、ＤＶＤ＋ＲＷに対応した記録動作について、次のようにして構成する。
【００５１】
先ず、ＤＶＤ＋ＲＷに記録される管理情報の一部であるＶＲＭＩの構造を図６に示す。なお、この図における各領域における（  ）内は、領域サイズを例えばバイト数により示したものである。
この図に示されるＶＲＭＩの構造において、本実施の形態に関連する領域の情報について説明する。先ず、領域FL1、FL2には、MAN_ID、MDL_IDとされている。MAN_IDには、最後のファイナライズを行った装置のメーカ（ベンダー）名を示す情報が格納される。MDL_IDには、最後にファイナライズを行った装置の機種名を示す情報が格納される。
【００５２】
また、領域FL3として示すMAN_UDは、メーカ（ベンダー）が任意に定義して使用できるものとして割り当てられた領域とされているが、本実施の形態の放送受信録画装置１としては、この領域の所定位置に対して、ファイナライズに際して作成／記録したＤＶＤメニューデータの基となるＤＶＤメニュー雛形を特定するＩＤを格納することとする。このＩＤとしては、壁紙データＩＤを格納するものとする。図４、図５にて説明したように、本実施の形態では、ＤＶＤメニュー雛形と壁紙データとは、1対１で対応することから、壁紙データＩＤによりＤＶＤメニュー雛形を特定することになる。
【００５３】
続いて、図７〜図１０のフローチャートを参照して、ＤＶＤドライブ２０にＤＶＤ＋ＲＷが装填された場合に対応して本実施の形態の放送受信録画装置１が実行するとされる処理手順を説明する。なお、これらの図に示す処理は、プログラムに従ってＣＰＵ１６が実行すべき処理としてみることができる。このプログラムは、前述したように、ＲＯＭ１８、フラッシュメモリ１９、あるいはＨＤＤ２１に記憶させたものをＲＡＭ１７に展開させることで、ＣＰＵ１６が実行可能となる。また、このようなプログラムは、各種記録媒体に記録させて保存させておくことが可能である。
【００５４】
図７は、ＤＶＤドライブ２０に対してＤＶＤ＋ＲＷが装填され、マウントが実行される際における、ＶＲＭＩ内のMAN_ID、MDL_ID、MAN_UDについての処理を示している。なお、ここでいうマウント（mount）とは、周知のようにして、ＤＶＤドライブ２０に対して装填されたディスクについて、放送受信録画装置１側のアプリケーションにより、記録、再生などの操作が可能なようにして認識させる処理をいう。
先ず、ステップＳ１０１においては、ＤＶＤドライブ２０に装填されたＤＶＤ＋ＲＷに記録されていたＶＲＭＩの読み込みを実行し、続くステップＳ１０２において、このＶＲＭＩ内に記述されるMAN_ID、MDL_IDのそれぞれに格納された情報を参照する。
【００５５】
そして、ステップＳ１０３により、上記ステップＳ１０２により参照したMAN_ID、MDL_IDの内容について、本実施の形態の放送受信録画装置１と同じＤＶＤメニュー機能に対応するメーカ、機種が示されているか否かについて判別する。ここでの本実施の形態の放送受信録画装置１と同じＤＶＤメニュー作成機能とは、図４及び図５により説明したようにして、本実施の形態の放送受信録画装置１と同じ数、種類のＤＶＤメニュー雛形を用意したうえで、これらのＤＶＤメニュー雛形のうちから選択されたＤＶＤメニュー雛形を基として、ＤＶＤメニューを作成／記録できる機能を指す。
ステップＳ１０３にて否定の判別結果が得られた場合、最後にファイナライズを行った機器は、本実施の形態の放送受信録画装置１のＤＶＤメニュー機能には対応していないということになる。この場合には、以降の処理をスキップして、所要のルーチンに移行するようにされる。
これに対して、ステップＳ１０３にて肯定の判別結果が得られた場合には、最後にファイナライズを行った機器は、本実施の形態の放送受信録画装置１のＤＶＤメニュー機能に対応している、ということになる。この場合には、ステップＳ１０４に進んで、ステップＳ１０１にて読み込んだＶＲＭＩのMAN_UDから、壁紙データＩＤを取得する。そして、次のステップＳ１０５により、上記ステップＳ１０４により取得した壁紙データを、仮ＤＶＤメニュー設定情報として保持する。この仮ＤＶＤメニュー設定情報は、例えばＲＡＭ１７に書き込んで保持させておくようにすればよい。
ところで、この図に示す処理によれば、ステップＳ１０３にてMAN_ID、MDL_IDが、対応メーカ、対応機種であることを示していない場合には、ステップＳ１０４による壁紙データＩＤの取得は行わないこととしているが、これは次のような理由による。
MAN_UDの領域は、前述もしたように、メーカ（ベンダー）が任意に定義して使用することができる。従って、他のメーカ、あるいは同一メーカであっても機器や機種が異なる場合には、MAN_UDを全く異なる定義により使用している可能性がある。このために、例えば仮に、最後にファイナライズを行った機器が、本実施の形態の放送受信録画装置１と同じＤＶＤメニュー機能を有さないものであった場合に、ステップＳ１０３の判定処理を経ることなく、無条件でステップＳ１０４の処理を実行させたとすると、本来は全く異なる定義のもとで設定された何らかの値を、本実施の形態に対応する壁紙データＩＤとして取り込んでしまうことになる。そこで、本実施の形態としては、ステップＳ１０３により、最後にファイナライズした機器のメーカ、機種などから、放送受信録画装置１と同じＤＶＤメニュー機能を有するものであるか否かを確認したうえで、MAN_UDからの壁紙データＩＤの取得を行うようにしているものである。
【００５６】
図８は、ＤＶＤメニュー雛形の選択操作に応じた処理を示している。本実施の形態の放送受信録画装置１の場合、ＤＶＤメニュー雛形の選択操作は、前述したように、メニュー画面などから操作画面を呼び出して行うことができる。あるいは、手動によるファイナライズを指示したときや、ＨＤＤ２1からＤＶＤへのダビングを指定したときなどに、ＤＶＤメニュー雛形の選択画面が呼び出されるようになっている。また本実施の形態では、現在において、どのＤＶＤメニュー雛形が選択決定されているのかを示す情報を、「ＤＶＤメニュー設定情報」として設けている。このＤＶＤメニュー設定情報は、例えばＲＡＭ１７に保持しておくようにされる。このＤＶＤメニュー設定情報は、例えばＤＶＤドライブ２０にＤＶＤが装填されたときに初期化されて、予め初期値として設定されたＤＶＤメニュー雛形を示す情報が格納されるようになっている。
ステップＳ２０１では、ユーザの操作部２３に対するＤＶＤメニュー雛形の選択操作を入力する。そして、次のステップＳ２０２では、ＤＶＤメニュー設定情報について、上記ステップＳ２０１により選択されたＤＶＤメニュー雛形を示すようにして更新する。この更新にあたっては、選択されたＤＶＤメニュー雛形に対応する壁紙データＩＤを用いるようにされる。
【００５７】
図９は、ＤＶＤドライブ２０に装填されているＤＶＤ＋ＲＷに対してオートファイナライズを実行すべきこととなった場合の処理を示している。
例えば前述したように、ＤＶＤドライブ２０にＤＶＤ＋ＲＷが装填されている状態において、メイン電源をオフとする操作あるいは、イジェクトの操作が行われたとされると、オートファイナライズを実行すべきこととなって、ステップＳ３０１にて肯定の判別結果が得られ、ステップＳ３０２以降の処理に進むようにされる。
【００５８】
ステップＳ３０２においては、現在ファイナライズ対象としてＤＶＤドライブ２０に装填されたＤＶＤ＋ＲＷがマウントされてからオートファイナライズが指示されるまでの間に、ＤＶＤメニュー雛形を選択決定するための操作が行われたか否かについて判別する。ここで肯定の判別結果が得られたのであれば、ステップＳ３０３，Ｓ３０４をスキップしてステップＳ３０５に進む。これにより、ステップＳ３０５以降の処理によっては、ユーザにより選択決定されたＤＶＤメニュー雛形を基としてＤＶＤメニューの作成／記録が行われる。
これに対して、ステップＳ３０２において否定の判別結果が得られたのであれば、ステップＳ３０３に進む。
【００５９】
ステップＳ３０３においては、現在、仮ＤＶＤメニュー設定情報を保持しているか否かについての判別を行う。図７の処理から分かるように、仮ＤＶＤメニュー設定情報は、ＤＶＤ＋ＲＷがマウントされたときに読み込んだＶＲＭＩに基づいて、最後のファイナライズを行った機器が、本実施の形態の放送受信録画装置１と同じＤＶＤメニュー機能に対応するメーカ、機種である場合に保持されているものである。
ステップＳ３０３において否定の判別結果が得られた場合には、ステップＳ３０４をスキップしてステップＳ３０５に進むのであるが、肯定の判別結果が得られたのであれば、ステップＳ３０４の処理を実行する。
【００６０】
ステップＳ３０４においては、先の図７のステップＳ１０５により保持したとされる仮ＤＶＤメニュー設定情報の壁紙データＩＤを、正規のＤＶＤメニュー設定情報に反映させるようにして設定する。これにより、ＤＶＤメニュー設定情報は、初期値が設定されていたままの状態から、最後のファイナライズが行われたときに作成／記録されたＤＶＤメニュー雛形を示すことになる。
【００６１】
ステップＳ３０５〜ステップＳ３０９までの処理は、現段階において保持しているＤＶＤメニュー設定情報の内容に基づいて、ＤＶＤメニューデータを作成／記録するための処理となる。なお、以降の説明にあたって、図５に例示したＤＶＤメニュー雛形管理テーブル、図４に示した壁紙データ、レイアウトデータ、色指定データ、サブピクチャデータとしての素材データは、ＲＯＭ１８、フラッシュメモリ１９、あるいはＨＤＤ２１に記憶保持されるようにして格納されているものとする。この場合において、これらのテーブル、素材データ等をフラッシュメモリ１９やＨＤＤ２１などの書き換え可能な媒体に格納することとすれば、例えばバージョンアップなどによるＤＶＤメニュー雛形の更新、追加などに容易に対応できる。
【００６２】
先ず、ステップＳ３０５においては、現段階において保持しているＤＶＤメニュー設定情報としての内容である、壁紙データＩＤを取得する。そして、次のステップＳ３０６では、図５に例示したＤＶＤメニュー雛形管理テーブルから、上記ステップＳ３０５にて取得した壁紙データＩＤと対応付けられているレイアウトデータＩＤ、色指定データＩＤ、サブピクチャデータＩＤを取得する。
続くステップＳ３０７では、上記ステップ３０５により取得した壁紙データＩＤが示す壁紙データ１００を取得する。また、上記ステップＳ３０６により取得したレイアウトデータＩＤ、色指定データＩＤ、サブピクチャデータＩＤがそれぞれ示すレイアウトデータ１０１、色指定データ１０２、及びサブピクチャデータ１０３を取得する。これにより、ＤＶＤメニュー設定情報が指定するＤＶＤメニュー雛形を基としてＤＶＤメニューを作成するための素材データである、壁紙データ１００、レイアウトデータ１０１、色指定データ１０２、及びサブピクチャデータ１０３が揃うことになる。
【００６３】
次のステップＳ３０８では、上記ステップＳ３０７により取得した素材データを利用してＤＶＤメニューデータを作成する。このときには、例えばタイトルリストなどに表示すべきタイトルを示す文字、録画日などは、ＤＶＤに記録されているタイトル関連の管理情報から取得するようにされる。このＤＶＤメニューデータは、例えばタイトルとして一時再生させた状態とすることで、例えば図２に示したようなＧＵＩとして機能するように構築される。
【００６４】
上記のようにして作成されたＤＶＤメニューデータは、ステップＳ３０９によりＤＶＤ＋ＲＷの所定領域に対して、１タイトルとして管理されるようにして書き込みが行われる。
また、ここでは、続くステップＳ３１０において、ＤＶＤ＋ＲＷに対して管理情報を書き込むこととしている。マウント後においては、例えばＲＡＭ１７などに管理情報が保持され、このようにしてＲＡＭ１７に保持された管理情報を対象として、ＤＶＤ＋ＲＷに対する記録再生管理が行われる。また、データの更新などに応じて、ＲＡＭ１７に保持された管理情報を更新するようにされる。実際のＤＶＤへの管理情報の記録、書き換えは、所定の機会で以て適宜実行されるものとなる。このステップＳ３１１として実行されるＤＶＤ＋ＲＷへの管理情報の書き込みは、ファイナライズ前における最後のディスクへの管理情報の書き込み処理となる。
【００６５】
そして、本実施の形態においては、例えばファイナライズを実行すべきことが確定された段階で、管理情報の更新について、図１０に示す処理を含むようにされる。
図１０のステップＳ４０１においては、ＶＲＭＩにおけるMAN_ID、MDL_IDについて、本実施の形態の放送受信録画装置１のメーカ、機種を示す情報となるように書き換えを実行する。
また、ステップＳ４０２においては、MAN_UDにおける壁紙ＩＤの領域について、そのときのＤＶＤメニュー設定情報が示す壁紙データＩＤを示すようにして書き換えを実行する。そして、最終的にステップＳ３１１の処理が実行された段階では、ＤＶＤ＋ＲＷに実際に記録されたＶＲＭＩとしては、上記図１０に示す処理により更新された内容のMAN_ID、MDL_ID、及びMAN_UDの情報を有していることになる。
【００６６】
説明を図９に戻す。
上記のようにしてステップＳ３１０において管理情報の書き込みが終了したとされると、次のステップＳ３１１によりファイナライズの処理を実行する。ファイナライズの実際の処理としては、周知のようにして、例えばリードアウトエリアの形成や、パディングデータの埋め込みなどとなる。
そして、上記ステップＳ３０１１によるファイナライズが終了したとされると、ステップＳ３１２により、オートファイナライズを実行させるトリガとなった操作に応じた動作を実行する。つまり、放送受信録画装置１のメイン電源のオフ、あるいはＤＶＤドライブ２０からのＤＶＤ＋ＲＷのイジェクトのための制御が実行される。
【００６７】
このようにして、図９に示した処理が実行されることで、ＤＶＤ＋ＲＷのオートファイナライズに際して、このＤＶＤ＋ＲＷがマウントされてから現在までの間に、ＤＶＤメニュー雛形の選択が行われなかった場合には、これより前において最後にファイナライズされたときに作成／記録されたＤＶＤメニュー雛形により、ＤＶＤメニューの作成／記録を行うようにされる。これにより、先にも説明したように、ＤＶＤメニューの基本的な表示態様について、ユーザが意図しないものに勝手に代わってしまうような不都合が生じなくなる。
また、ＤＶＤへの管理情報の書き込みを行うときには、図１０の手順が実行される結果、図６に示したように、本実施の形態の放送受信録画装置１がファイナライズしたときに作成／記録したＤＶＤメニューの基となるＤＶＤメニュー雛形を示すＩＤ（壁紙データＩＤ）を埋め込むようにしている。これにより、次にＤＶＤが装填された機器が、本実施の形態の放送受信録画装置１と同じＤＶＤメニュー機能を持つものであれば、同様にして、本実施の形態のＤＶＤメニューの作成／記録を実行することができるようにされている。
【００６８】
なお、ＤＶＤメニュー雛形のパターン数と、パターンごとの素材データの組み合わせは、実施の形態として示した以外にも多様に考えられる。また、素材データとしても、壁紙データ、レイアウトデータ、色指定データ、サブピクチャデータ以外のものを考えることができ、これにともなって、素材データの組み合わせも各種が考えられる。
また、本実施の形態では、記録内容提示画像として、ＤＶＤに記録すべきメニュー画像を例示して説明しているが、例えば他の記録媒体に対しても本願発明を適用できる。この場合において、記録媒体としては、例えば光学ディスクに限定されるものではなく、磁気ディスク、半導体メモリ素子などとされてもよい。また、実施の形態では、記録媒体がＤＶＤであることに対応して、記録内容提示画像により、ビデオ／オーディオデータとしてのタイトルのリストを提示するようにされているが、例えば、ビデオ／オーディオデータ以外にも、静止画や文書のファイルなどのリストを記録内容提示画像により提示するような構成にも適用できる。
また、実施の形態では、オートファイナライズに際して記録内容提示画像も自動的に作成／記録する場合を例に挙げているが、オートファイナライズの機会とは無関係に、記録内容提示画像も自動的に作成／記録する状況もあると考えられる。このような状況であっても、本願発明が適用できる。
【図面の簡単な説明】
【００６９】
【図１】本発明の実施の形態としての放送受信録画装置の構成例を示すブロック図である。
【図２】実施の形態のＤＶＤメニューの表示態様例を示す図である。
【図３】ＤＶＤメニュー画像を形成するデータの組み合わせ構造を模式的に示す図である。
【図４】複数のＤＶＤメニュー雛形についての素材データの組み合わせパターン例を示す図である。
【図５】ＤＶＤメニュー雛形管理テーブルを示す図である。
【図６】ＶＲＭＩの構造を示す図である。
【図７】ＤＶＤ＋ＲＷマウント時における、ＶＲＭＩ内のMAN_ID、MDL_ID、MAN_UDについての処理を示すフローチャートである。
【図８】ＤＶＤメニュー雛形の選択操作に応じた処理を示すフローチャートである。
【図９】オートファイナライズに際して実行すべき処理を示すフローチャートである。
【図１０】ＶＲＭＩにおけるMAN_ID、MDL_ID、MAN_UDについての更新処理を示すフローチャートである。
【符号の説明】
【００７０】
１  放送受信録画装置、１０  アンテナ、１１  チューナ、１２  復調器、１３  デマルチプレクサ、１４  ビデオデコーダ、１５  オーディオデコーダ、１６  ＣＰＵ、１７  ＲＡＭ、１８  ＲＯＭ、１９  フラッシュメモリ、２０  ＤＶＤドライブ、２１  ＨＤＤ、２２  バス、２３  操作部、２５  ＤＶＤ、２６  ディスプレイ、２７  スピーカ
【図１】
2007073149.tif 000003
【図２】
2007073149.tif 000004
【図３】
2007073149.tif 000005
【図４】
2007073149.tif 000006
【図５】
2007073149.tif 000007
【図６】
2007073149.tif 000008
【図７】
2007073149.tif 000009
【図８】
2007073149.tif 000010
【図９】
2007073149.tif 000011
【図１０】
2007073149.tif 000012